【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
打球面、打球面とは反対側の後面、および打球面と後面との間に位置決めされるソール部分を有するボディであって、該後面が、ボディ内に位置決めされるスロットと連通する開口を有する、ボディ、ならびに
該開口を通ってスロット内に位置決めされるウェイト要素であって、取り外されるウェイト部分を画定する少なくとも一つのそこを貫通する開口部を有する、ウェイト要素
を含む、アイアンタイプゴルフクラブヘッド。
【請求項２】
ウェイト要素がステンレス鋼である、請求項1記載のアイアンタイプゴルフクラブヘッド。
【請求項３】
前記開口部が一対の開口部を含む、請求項1記載のアイアンタイプゴルフクラブヘッド。
【請求項４】
スロットが打球面の内面と後面の内面との間に画定される、請求項1記載のアイアンタイプゴルフクラブヘッド。
【請求項５】
スロットがソール部分から後面の中央部分の直近まで延びる、請求項1記載のアイアンタイプゴルフクラブヘッド。
【請求項６】
スロットがソール部分から後面の中央部分よりも下の場所まで延びる、請求項1記載のアイアンタイプゴルフクラブヘッド。
【請求項７】
ウェイト要素が開口を通過して上方に延びる、請求項1記載のアイアンタイプゴルフクラブヘッド。
【請求項８】
スロットがソール部分の上部分まで延びる、請求項1記載のアイアンタイプゴルフクラブヘッド。
【請求項９】
スロットが、後面の中央部分の直近まで延びてスロット開口を画定し、
後面内の該開口が、スロットの第一の端部と概して一致する下縁を有し、該開口が上縁を有し、
ウェイト要素がスロット内に位置決めされる際に該上縁と該下縁との間に位置決めされる頂縁を該ウェイト要素が有する、請求項1記載のアイアンタイプゴルフクラブヘッド。
【請求項１０】
ウェイト要素が開口部を有し、該ウェイト要素がスロット内に位置決めされる際に該開口部が上縁と下縁との間に位置決めされる、請求項9記載のアイアンタイプゴルフクラブヘッド。
【請求項１１】
後面が、そこを貫通しかつスロットと連通する穿孔をさらに有し、ウェイト要素を該スロット内に固定するように該穿孔内に位置決めされかつ該ウェイト要素に係合するファスナをさらに含む、請求項1記載のアイアンタイプゴルフクラブヘッド。
【請求項１２】
ウェイト要素が、後面の穿孔に位置合わせされた穿孔を有し、ファスナが、該ウェイト要素をスロット内に固定するように後面の該穿孔およびウェイト要素の該穿孔内に位置決めされる、請求項11記載のアイアンタイプゴルフクラブヘッド。
【請求項１３】
ウェイト要素が打球面の内面に押し当てられる、請求項1記載のアイアンタイプゴルフクラブヘッド。
【請求項１４】
ウェイト要素に加えられる力が内面に概して垂直である、請求項13記載のアイアンタイプゴルフクラブヘッド。
【請求項１５】
後面が、そこを貫通しかつスロットと連通する穿孔をさらに有し、ウェイト要素を該スロット内に固定するように該穿孔内に位置決めされかつ該ウェイト要素を打球面の内面に押し当てるファスナをさらに含む、請求項1記載のアイアンタイプゴルフクラブヘッド。
【請求項１６】
ウェイト要素に加えられる力が内面に概して垂直である、請求項15記載のアイアンタイプゴルフクラブヘッド。
【請求項１７】
ウェイト要素が、そこに取り付けられた衝撃吸収部材を有する、請求項1記載のアイアンタイプゴルフクラブヘッド。
【請求項１８】
ウェイト要素が第一の側縁および第二の側縁ならびに底縁を有し、衝撃吸収部材が該第一の側縁、該第二の側縁および該底縁上に位置決めされる、請求項17記載のアイアンタイプゴルフクラブヘッド。
【請求項１９】
衝撃吸収部材がポリマー材料である、請求項18記載のアイアンタイプゴルフクラブヘッド。
【請求項２０】
ウェイト要素が、該ウェイト要素の底縁の直近にある開口部を有する、請求項1記載のアイアンタイプゴルフクラブヘッド。
【請求項２１】
前記開口部が、ウェイト要素の底縁の直近にある一対の開口部を含む、請求項20記載のアイアンタイプゴルフクラブヘッド。
【請求項２２】
ウェイト要素が、該ウェイト要素の頂縁の直近にある開口部を有する、請求項1記載のアイアンタイプゴルフクラブヘッド。
【請求項２３】
前記開口部が、ウェイト要素の頂縁の直近にある一対の開口部を含む、請求項22記載のアイアンタイプゴルフクラブヘッド。
【請求項２４】
ウェイト要素が、該ウェイト要素の頂縁および側縁の直近にある開口部を有し、該ウェイト要素がスロット内に位置決めされ、該開口部がボディのヒールの直近に位置決めされる、請求項1記載のアイアンタイプゴルフクラブヘッド。
【請求項２５】
ウェイト要素が、該ウェイト要素の頂縁および側縁の直近にある開口部を有し、該ウェイト要素がスロット内に位置決めされ、該開口部がボディのトウの直近に位置決めされる、請求項1記載のアイアンタイプゴルフクラブヘッド。
【請求項２６】
ウェイト要素が、該ウェイト要素の底縁および側縁の直近にある開口部を有し、該ウェイト要素がスロット内に位置決めされ、該開口部がボディのトウの直近に位置決めされる、請求項1記載のアイアンタイプゴルフクラブヘッド。
【請求項２７】
ウェイト要素が、該ウェイト要素の底縁および側縁の直近にある開口部を有し、該ウェイト要素がスロット内に位置決めされ、該開口部がボディのヒールの直近に位置決めされる、請求項1記載のアイアンタイプゴルフクラブヘッド。
【請求項２８】
ウェイト要素が、該ウェイト要素の頂縁の直近かつ該ウェイト要素の中心領域に位置決めされる第一の開口部を有し、該ウェイト要素が、該ウェイト要素の底縁の直近かつ該ウェイト要素の中心領域に位置決めされる第二の開口部をさらに有する、請求項1記載のアイアンタイプゴルフクラブヘッド。
【請求項２９】
開口部が、上方の水平区画、および該水平区画から垂れる下方の垂直区画を有する、請求項1記載のアイアンタイプゴルフクラブヘッド。
【請求項３０】
スロットが、第一の区画、および概して該第一の区画を横切る第二の区画を有し、ウェイト要素がスロット内に位置決めされる際に該第二の区画に収容されるリップを該ウェイト要素が有する、請求項1記載のアイアンタイプゴルフクラブヘッド。
【請求項３１】
ウェイト要素が第一のウェイト要素および第二のウェイト要素を含む、請求項1記載のアイアンタイプゴルフクラブヘッド。
【請求項３２】
ボディが、第一のウェイト要素と第二のウェイト要素との間に位置決めされる仕切り壁を有する、請求項31記載のアイアンタイプゴルフクラブヘッド。
【請求項３３】
第一のウェイト要素が第一の開口部を有し、第二のウェイト要素が第二の開口部を有し、該第一の開口部が該第二の開口部とは異なってサイズ決めされる、請求項32記載のアイアンタイプゴルフクラブヘッド。
【請求項３４】
スロットおよびウェイト要素が、ボディの後面に向かって延びる協調的に寸法決めされた先細り状の表面を有する、請求項1記載のアイアンタイプゴルフクラブヘッド。
【請求項３５】
スロットが、打球面の直近にある第一のスロットと後面の直近にある第二のスロットとを含み、かつそれらの間の内壁を有し、ウェイト要素が、該第一のスロット内に位置決めされる第一のウェイト要素、および該第二のスロット内に位置決めされる第二のウェイト要素を含む、請求項1記載のアイアンタイプゴルフクラブヘッド。
【請求項３６】
打球面、打球面とは反対側の後面、および打球面と後面との間に位置決めされるソール部分を有するボディであって、該後面が、ボディ内に位置決めされるスロットと連通する開口を有する、ボディと、該開口を通ってスロット内に位置決めされるウェイト要素であって、取り外されるウェイト部分を画定する少なくとも一つのそこを貫通する開口部を有する、ウェイト要素とを有する、ゴルフクラブヘッド、ならびに
該ゴルフクラブヘッドに係合したシャフト部材
を含む、アイアンゴルフクラブ。
【請求項３７】
ウェイト要素がステンレス鋼である、請求項36記載のアイアンゴルフクラブ。
【請求項３８】
スロットが打球面の内面と後面の内面との間に画定される、請求項36記載のアイアンゴルフクラブ。
【請求項３９】
スロットがソール部分から後面の中央部分の直近まで延びる、請求項36記載のアイアンゴルフクラブ。
【請求項４０】
スロットがソール部分から後面の中央部分よりも下の場所まで延びる、請求項36記載のアイアンゴルフクラブ。
【請求項４１】
ウェイト要素が開口を通過して上方に延びる、請求項36記載のアイアンゴルフクラブ。
【請求項４２】
スロットが、後面の中央部分の直近まで延びてスロット開口を画定し、
後面内の該開口が、スロットの第一の端部と概して一致する下縁を有し、該開口が上縁を有し、
ウェイト要素がスロット内に位置決めされる際に該上縁と該下縁との間に位置決めされる頂縁を該ウェイト要素が有する、請求項36記載のアイアンゴルフクラブ。
【請求項４３】
ウェイト要素が開口部を有し、該ウェイト要素がスロット内に位置決めされる際に該開口部が上縁と下縁との間に位置決めされる、請求項42記載のアイアンゴルフクラブ。
【請求項４４】
後面が、そこを貫通しかつスロットと連通する穿孔をさらに有し、ウェイト要素を該スロット内に固定するように該穿孔内に位置決めされかつ該ウェイト要素に係合するファスナをさらに含む、請求項36記載のアイアンゴルフクラブ。
【請求項４５】
ファスナが、ウェイト要素をスロット内に固定するように該ウェイト要素を打球面の内面に押し当て、該ウェイト要素に加えられる力が該内面に概して垂直である、請求項44記載のアイアンゴルフクラブ。
【請求項４６】
ウェイト要素が、そこに取り付けられた衝撃吸収部材を有する、請求項36記載のアイアンゴルフクラブ。
【請求項４７】
打球面、打球面とは反対側の後面、および打球面と後面との間に位置決めされるソール部分を有するボディであって、該後面が、ボディ内に位置決めされるスロットと連通する開口を有し、該スロットが打球面の内面と後面の内面との間に画定され、該スロットがソール部分から後面の中央部分の直近まで延びる、ボディ、ならびに
該開口を通ってスロット内に位置決めされるウェイト要素であって、該開口の下縁を通過して上方に延び、取り外されるウェイト部分を画定する少なくとも一つのそこを貫通する開口部を有する、ウェイト要素
を含む、アイアンタイプゴルフクラブヘッド。
【請求項４８】
打球面、打球面とは反対側の後面、および打球面と後面との間に位置決めされるソール部分を有するボディであって、該後面が、後面の上部分の直近から後面の中央部分の直近まで延びる細長い開口を有し、該開口が、ボディ内に位置決めされるスロットと連通しており、該スロットが、ボディの中央部分の直近からソール部分内に延び、かつ打球面の内面および後面の内面と、ソール部分内に画定されるフロアとにより画定され、該後面が、そこを貫通しかつスロットと連通する穿孔をさらに有する、ボディ、
該開口を通ってスロット内に位置決めされるウェイト要素であって、そこを貫通して画定される少なくとも一つの開口部を有し、該スロットから開口を通って該ウェイト要素を選択的に取り外すためにウェイト要素の一部分が開口を通って接近可能であるように寸法決めされた、ウェイト要素、ならびに
該穿孔内に位置決めされかつ該ウェイト要素に係合するファスナであって、該ウェイト要素をスロット内に固定するようにウェイト要素が打球面の内面に押し当てられる、ファスナ
を含む、アイアンタイプゴルフクラブヘッド。
【請求項４９】
打球面、打球面とは反対側の後面、および打球面と後面との間に位置決めされるソール部分を有するボディであって、該後面が、ボディ内に位置決めされるスロットと連通する開口を有し、該スロットが打球面の内面と後面の内面との間に画定され、該スロットがソール部分から後面の中央部分の直近まで延びる、ボディ、ならびに
該開口を通ってスロット内に位置決めされるウェイト要素であって、該開口の下縁を通過して上方に延び、取り外されるウェイト部分を画定する一対のそこを貫通する開口部を有し、該開口部がウェイト要素の底縁の直近に位置決めされ、該開口部がスロット内でソール部分の直近に位置決めされる、ウェイト要素
を含む、アイアンタイプゴルフクラブヘッド。
【請求項５０】
打球面、打球面とは反対側の後面、および打球面と後面との間に位置決めされるソール部分を有するボディであって、該後面が、ボディ内に位置決めされるスロットと連通する開口を有する、ボディ、ならびに
該開口を通ってスロット内に位置決めされるウェイト要素であって、該ウェイト要素の頂縁の直近かつ該ウェイト要素の中心領域に位置決めされる第一の開口部を有し、該ウェイト要素の底縁の直近かつ該ウェイト要素の中心領域に位置決めされる第二の開口部をさらに有する、ウェイト要素
を含む、アイアンタイプゴルフクラブヘッド。
【請求項５１】
打球面、打球面とは反対側の後面、および打球面と後面との間に位置決めされるソール部分を有するボディであって、該後面が、ボディ内に位置決めされるスロットと連通する開口を有する、ボディ、ならびに
該開口を通ってスロット内に位置決めされるウェイト要素であって、該スロットが、第一の区画、および概して該第一の区画を横切る第二の区画を有し、ウェイト要素がスロット内に位置決めされる際に該第二の区画に収容されるリップを該ウェイト要素が有する、ウェイト要素
を含む、アイアンタイプゴルフクラブヘッド。
【請求項５２】
打球面、打球面とは反対側の後面、および打球面と後面との間に位置決めされるソール部分を有するボディであって、該後面が、ボディ内に位置決めされるスロットと連通する開口を有する、ボディ、ならびに
該開口を通ってスロット内に位置決めされるウェイト要素であって、第一のウェイト要素および第二のウェイト要素を含み、該ボディが、該第一のウェイト要素と該第二のウェイト要素との間に位置決めされる仕切り壁を有する、ウェイト要素
を含む、アイアンタイプゴルフクラブヘッド。
【請求項５３】
第一のウェイト要素が第一の開口部を有し、第二のウェイト要素が第二の開口部を有し、該第一の開口部が該第二の開口部とは異なってサイズ決めされる、請求項52記載のアイアンタイプゴルフクラブヘッド。
【請求項５４】
打球面、打球面とは反対側の後面、および打球面と後面との間に位置決めされるソール部分を有するボディであって、該後面が、ボディ内に位置決めされるスロットと連通する開口を有する、ボディ、ならびに
該開口を通ってスロット内に位置決めされるウェイト要素であって、該スロットが、打球面の直近にある第一のスロットと後面の直近にある第二のスロットとを含み、かつそれらの間の内壁を有し、該ウェイト要素が、該第一のスロット内に位置決めされる第一のウェイト要素、および該第二のスロット内に位置決めされる第二のウェイト要素を含む、ウェイト要素
を含む、アイアンタイプゴルフクラブヘッド。
【請求項５５】
スロットが、打球面の内面と後面の内面との間の距離として画定される幅、およびボディ内でスロットの第一の端部からスロットの第二の端部までの距離として画定される深さを含み、最大全深さ対最大全幅の比が2以上である、請求項1記載のアイアンタイプゴルフクラブヘッド。
【手続補正２】
【補正対象書類名】明細書
【補正対象項目名】００１４
【補正方法】変更
【補正の内容】
【００１４】
本開示のさらなる局面は、上記の種類のインサート部材を有するクラブヘッドを含む、アイアンタイプゴルフクラブ、ならびにアイアンゴルフクラブヘッドおよびゴルフクラブを生成するための方法に関する。
[本発明1001]
打球面、打球面とは反対側の後面、および打球面と後面との間に位置決めされるソール部分を有するボディであって、該後面が、ボディ内に位置決めされるスロットと連通する開口を有する、ボディ、ならびに
該開口を通ってスロット内に位置決めされるウェイト要素
を含む、アイアンタイプゴルフクラブヘッド。
[本発明1002]
ウェイト要素が、取り外されるウェイト部分を画定する少なくとも一つのそこを貫通する開口部を有する、本発明1001のアイアンタイプゴルフクラブヘッド。
[本発明1003]
ウェイト要素がステンレス鋼である、本発明1001のアイアンタイプゴルフクラブヘッド。
[本発明1004]
前記開口部が一対の開口部を含む、本発明1002のアイアンタイプゴルフクラブヘッド。
[本発明1005]
スロットが打球面の内面と後面の内面との間に画定される、本発明1001のアイアンタイプゴルフクラブヘッド。
[本発明1006]
スロットがソール部分から後面の中央部分の直近まで延びる、本発明1001のアイアンタイプゴルフクラブヘッド。
[本発明1007]
スロットがソール部分から後面の中央部分よりも下の場所まで延びる、本発明1001のアイアンタイプゴルフクラブヘッド。
[本発明1008]
ウェイト要素が開口を通過して上方に延びる、本発明1001のアイアンタイプゴルフクラブヘッド。
[本発明1009]
スロットがソール部分の上部分まで延びる、本発明1001のアイアンタイプゴルフクラブヘッド。
[本発明1010]
スロットが、後面の中央部分の直近まで延びてスロット開口を画定し、
後面内の該開口が、スロットの第一の端部と概して一致する下縁を有し、該開口が上縁を有し、
ウェイト要素がスロット内に位置決めされる際に該上縁と該下縁との間に位置決めされる頂縁を該ウェイト要素が有する、本発明1001のアイアンタイプゴルフクラブヘッド。
[本発明1011]
ウェイト要素が開口部を有し、該ウェイト要素がスロット内に位置決めされる際に該開口部が上縁と下縁との間に位置決めされる、本発明1010のアイアンタイプゴルフクラブヘッド。
[本発明1012]
後面が、そこを貫通しかつスロットと連通する穿孔をさらに有し、ウェイト要素を該スロット内に固定するように該穿孔内に位置決めされかつ該ウェイト要素に係合するファスナをさらに含む、本発明1001のアイアンタイプゴルフクラブ。
[本発明1013]
ウェイト要素が、後面の穿孔に位置合わせされた穿孔を有し、ファスナが、該ウェイト要素をスロット内に固定するように後面の該穿孔およびウェイト要素の該穿孔内に位置決めされる、本発明1012のアイアンタイプゴルフクラブ。
[本発明1014]
ウェイト要素が打球面の内面に押し当てられる、本発明1001のアイアンタイプゴルフクラブ。
[本発明1015]
ウェイト要素に加えられる力が内面に概して垂直である、本発明1014のアイアンタイプゴルフクラブ。
[本発明1016]
後面が、そこを貫通しかつスロットと連通する穿孔をさらに有し、ウェイト要素を該スロット内に固定するように該穿孔内に位置決めされかつ該ウェイト要素を打球面の内面に押し当てるファスナをさらに含む、本発明1001のアイアンタイプゴルフクラブ。
[本発明1017]
ウェイト要素に加えられる力が内面に概して垂直である、本発明1016のアイアンタイプゴルフクラブ。
[本発明1018]
ウェイト要素が、そこに取り付けられた衝撃吸収部材を有する、本発明1001のアイアンタイプゴルフクラブヘッド。
[本発明1019]
ウェイト要素が第一の側縁および第二の側縁ならびに底縁を有し、衝撃吸収部材が該第一の側縁、該第二の側縁および該底縁上に位置決めされる、本発明1001のアイアンタイプゴルフクラブヘッド。
[本発明1020]
衝撃吸収部材がポリマー材料である、本発明1019のアイアンタイプゴルフクラブヘッド。
[本発明1021]
ウェイト要素が、該ウェイト要素の底縁の直近にある開口部を有する、本発明1001のアイアンタイプゴルフクラブヘッド。
[本発明1022]
前記開口部が、ウェイト要素の底縁の直近にある一対の開口部を含む、本発明1021のアイアンタイプゴルフクラブヘッド。
[本発明1023]
ウェイト要素が、該ウェイト要素の頂縁の直近にある開口部を有する、本発明1001のアイアンタイプゴルフクラブヘッド。
[本発明1024]
前記開口部が、ウェイト要素の頂縁の直近にある一対の開口部を含む、本発明1023のアイアンタイプゴルフクラブヘッド。
[本発明1025]
ウェイト要素が、該ウェイト要素の頂縁および側縁の直近にある開口部を有し、該ウェイト要素がスロット内に位置決めされ、該開口部がボディのヒールの直近に位置決めされる、本発明1001のアイアンタイプゴルフクラブヘッド。
[本発明1026]
ウェイト要素が、該ウェイト要素の頂縁および側縁の直近にある開口部を有し、該ウェイト要素がスロット内に位置決めされ、該開口部がボディのトウの直近に位置決めされる、本発明1001のアイアンタイプゴルフクラブヘッド。
[本発明1027]
ウェイト要素が、該ウェイト要素の底縁および側縁の直近にある開口部を有し、該ウェイト要素がスロット内に位置決めされ、該開口部がボディのトウの直近に位置決めされる、本発明1001のアイアンタイプゴルフクラブヘッド。
[本発明1028]
ウェイト要素が、該ウェイト要素の底縁および側縁の直近にある開口部を有し、該ウェイト要素がスロット内に位置決めされ、該開口部がボディのヒールの直近に位置決めされる、本発明1001のアイアンタイプゴルフクラブヘッド。
[本発明1029]
ウェイト要素が、該ウェイト要素の頂縁の直近かつ該ウェイト要素の中心領域に位置決めされる第一の開口部を有し、該ウェイト要素が、該ウェイト要素の底縁の直近かつ該ウェイト要素の中心領域に位置決めされる第二の開口部をさらに有する、本発明1001のアイアンタイプゴルフクラブヘッド。
[本発明1030]
開口部が上方の水平区画、および該水平区画から垂れる下方の垂直区画を有する、本発明1001のアイアンタイプゴルフクラブヘッド。
[本発明1031]
スロットが第一の区画、および概して該第一の区画を横切る第二の区画を有し、ウェイト要素がスロット内に位置決めされる際に該第二の区画に収容されるリップを該ウェイト要素が有する、本発明1001のアイアンタイプゴルフクラブヘッド。
[本発明1032]
ウェイト要素が第一のウェイト要素および第二のウェイト要素を含む、本発明1001のアイアンタイプゴルフクラブヘッド。
[本発明1033]
ボディが、第一のウェイト要素と第二のウェイト要素との間に位置決めされる仕切り壁を有する、本発明1032のアイアンタイプゴルフクラブヘッド。
[本発明1034]
第一のウェイト要素が第一の開口部を有し、第二のウェイト要素が第二の開口部を有し、該第一の開口部が該第二の開口部とは異なってサイズ決めされる、本発明1033のアイアンタイプゴルフクラブヘッド。
[本発明1035]
スロットおよびウェイト要素が、ボディの後面に向かって延びる協調的に寸法決めされた先細り状の表面を有する、本発明1001のアイアンタイプゴルフクラブヘッド。
[本発明1036]
スロットが、打球面の直近にある第一のスロットと後面の直近にある第二のスロットとを含み、かつそれらの間の内壁を有し、
ウェイト要素が、該第一のスロット内に位置決めされる第一のウェイト要素、および該第二のスロット内に位置決めされる第二のウェイト要素を含む、本発明1001のアイアンタイプゴルフクラブヘッド。
[本発明1037]
打球面、打球面とは反対側の後面、および打球面と後面との間に位置決めされるソール部分を有するボディであって、該後面が、ボディ内に位置決めされるスロットと連通する開口を有する、ボディと、該開口を通ってスロット内に位置決めされるウェイト要素とを有する、ゴルフクラブヘッド、ならびに
該ゴルフクラブヘッドに係合したシャフト部材
を含む、アイアンゴルフクラブ。
[本発明1038]
ウェイト要素が、取り外されるウェイト部分を画定する少なくとも一つのそこを貫通する開口部を有する、本発明1037のアイアンタイプゴルフクラブヘッド。
[本発明1039]
ウェイト要素がステンレス鋼である、本発明1037のアイアンタイプゴルフクラブヘッド。
[本発明1040]
スロットが打球面の内面と後面の内面との間に画定される、本発明1037のアイアンタイプゴルフクラブヘッド。
[本発明1041]
スロットがソール部分から後面の中央部分の直近まで延びる、本発明1037のアイアンタイプゴルフクラブヘッド。
[本発明1042]
スロットがソール部分から後面の中央部分よりも下の場所まで延びる、本発明1037のアイアンタイプゴルフクラブヘッド。
[本発明1043]
ウェイト要素が開口を通過して上方に延びる、本発明1037のアイアンタイプゴルフクラブヘッド。
[本発明1044]
スロットが、後面の中央部分の直近まで延びてスロット開口を画定し、
後面内の該開口が、スロットの第一の端部と概して一致する下縁を有し、該開口が上縁を有し、
ウェイト要素がスロット内に位置決めされる際に該上縁と該下縁との間に位置決めされる頂縁を該ウェイト要素が有する、本発明1037のアイアンタイプゴルフクラブヘッド。
[本発明1045]
ウェイト要素が開口部を有し、該ウェイト要素がスロット内に位置決めされる際に該開口部が上縁と下縁との間に位置決めされる、本発明1044のアイアンタイプゴルフクラブヘッド。
[本発明1046]
後面が、そこを貫通しかつスロットと連通する穿孔をさらに有し、ウェイト要素を該スロット内に固定するように該穿孔内に位置決めされかつ該ウェイト要素に係合するファスナをさらに含む、本発明1037のアイアンタイプゴルフクラブ。
[本発明1047]
ファスナが、ウェイト要素をスロット内に固定するように該ウェイト要素を打球面の内面に押し当て、該ウェイト要素に加えられる力が該内面に概して垂直である、本発明1046のアイアンタイプゴルフクラブ。
[本発明1048]
ウェイト要素が、そこに取り付けられた衝撃吸収部材を有する、本発明1037のアイアンタイプゴルフクラブヘッド。
[本発明1049]
打球面、打球面とは反対側の後面、および打球面と後面との間に位置決めされるソール部分を有するボディであって、該後面が、ボディ内に位置決めされるスロットと連通する開口を有し、該スロットが打球面の内面と後面の内面との間に画定され、該スロットがソール部分から後面の中央部分の直近まで延びる、ボディ、ならびに
該開口を通ってスロット内に位置決めされるウェイト要素であって、該開口の下縁を通過して上方に延び、取り外されるウェイト部分を画定する少なくとも一つのそこを貫通する開口部を有する、ウェイト要素
を含む、アイアンタイプゴルフクラブヘッド。
[本発明1050]
打球面、打球面とは反対側の後面、および打球面と後面との間に位置決めされるソール部分を有するボディであって、該後面が、後面の上部分の直近から後面の中央部分の直近まで延びる細長い開口を有し、該開口が、ボディ内に位置決めされるスロットと連通しており、該スロットが、ボディの中央部分の直近からソール部分内に延び、かつ打球面の内面および後面の内面と、ソール部分内に画定されるフロアとにより画定され、該後面が、そこを貫通しかつスロットと連通する穿孔をさらに有する、ボディ、
該開口を通ってスロット内に位置決めされるウェイト要素であって、そこを貫通して画定される少なくとも一つの開口部を有し、該スロットから開口を通って該ウェイト要素を選択的に取り外すためにウェイト要素の一部分が開口を通って接近可能であるように寸法決めされた、ウェイト要素、
該穿孔内に位置決めされかつ該ウェイト要素に係合するファスナであって、該ウェイト要素をスロット内に固定するようにウェイト要素が打球面の内面に押し当てられる、ファスナ
を含む、アイアンタイプゴルフクラブヘッド。
[本発明1051]
打球面、打球面とは反対側の後面、および打球面と後面との間に位置決めされるソール部分を有するボディであって、該後面が、ボディ内に位置決めされるスロットと連通する開口を有し、該スロットが打球面の内面と後面の内面との間に画定され、該スロットがソール部分から後面の中央部分の直近まで延びる、ボディ、ならびに
該開口を通ってスロット内に位置決めされるウェイト要素であって、該開口の下縁を通過して上方に延び、取り外されるウェイト部分を画定する一対のそこを貫通する開口部を有し、該開口部がウェイト要素の底縁の直近に位置決めされ、該開口部がスロット内でソール部分の直近に位置決めされる、ウェイト要素
を含む、アイアンタイプゴルフクラブヘッド。